(57)【特許請求の範囲】
【請求項１】
収納体の扉における把手が取り付けられた把手取付部に後付けして使用される錠装置であって、
前記扉における前記把手取付部の前面に装着される本体基部と、前記本体基部に前方に操作可能として設けられ、少なくとも前記把手を前方より覆いうる大きさの操作部と、前記把手と操作部とに連係され、前記操作部を前方に操作することにより、前記把手を前方に移動させうるようにした連係部材と、前記操作部を操作不能に施錠できるとともに、該操作部を操作可能に解錠できる施解錠手段と、を備えることを特徴とする錠装置。
【請求項２】
前記施解錠手段は、ソレノイドにより進退移動させられ、前記本体基部または前記操作部の一部と係合可能な施解錠レバーを備えることを特徴とする請求項１に記載の錠装置。
【請求項３】
前記施解錠手段は、認証情報に基づいて作動するとともに、該認証情報により前記操作部を施解錠する電子認証錠を備えることを特徴とする請求項１または２に記載の錠装置。
【請求項４】
前記電子認証錠は、前記認証情報を外部に送信可能な通信手段を有することを特徴とする請求項３に記載の錠装置。
【請求項５】
前記電子認証錠は、予め記憶された前記認証情報に基づいて、前記操作部を施解錠しうる記憶手段を有することを特徴とする請求項３または４に記載の錠装置。
【発明の詳細な説明】
【技術分野】
【０００１】
本発明は、キャビネット等の収納体の把手取付部に後付けして使用することにより、把手を操作可能及び操作不能とする錠装置に関する。
【背景技術】
【０００２】
このような従来の錠装置としては、例えば、特許文献１に記載されているように、キャビネットの扉における把手（取っ手部）の取付部の前面に装着される装置本体部と、この装置本体部に設けられ、把手を操作不能とする位置と操作可能とする位置とに移動可能な可動部材と、施錠操作により、可動部材の移動をロックして把手を操作不能とし、解錠操作により、可動部材のロックを解除し、把手を露出させてこれを操作可能とする施解錠ロック部とを備えたものがある。
【先行技術文献】
【特許文献】
【０００３】
【特許文献１】特開２００８−１２１２５５号公報
【発明の概要】
【発明が解決しようとする課題】
【０００４】
前記特許文献１に記載されている錠装置においては、扉を開く際には、キャビネットの把手の前方を覆っている可動部材のロックを解除したのち、この可動部材を、把手が露出するまで、すなわち把手に手が掛けられる位置まで手で移動させてから、把手を操作しなければならず、また、扉を閉じた際には、再度可動部材を、把手を覆う位置まで、すなわち把手を操作不能な位置まで移動させてロックしなければならないので、操作性が悪い。また、万一、可動部材を把手が操作不能な位置まで移動させるのを忘れると、第３者により把手が操作されて、扉が開かれる恐れがあり、セキュリティ上問題がある。
【０００５】
本発明は、このような問題点に着目してなされたもので、操作部のロックを解除したのち、一度の動作で把手を操作しうるようにして、操作性を向上させるとともに、把手が露出しないようにして、セキュリティを高めることができるようにした錠装置を提供することを目的としている。
【課題を解決するための手段】
【０００６】
前記課題を解決するために、本発明の錠装置は、
収納体の扉における把手が取り付けられた把手取付部に後付けして使用される錠装置であって、
前記扉における前記把手取付部の前面に装着される本体基部と、前記本体基部に前方に操作可能として設けられ、少なくとも前記把手を前方より覆いうる大きさの操作部と、前記把手と操作部とに連係され、前記操作部を前方に操作することにより、前記把手を前方に移動させうるようにした連係部材と、前記操作部を操作不能に施錠できるとともに、該操作部を操作可能に解錠できる施解錠手段と、を備えることを特徴としている。
この特徴によれば、操作部のロックを施解錠手段により解除したのち、操作部を前方に移動操作するだけの一度の動作で、扉の把手を前方に移動させて、そのまま扉を開くことができるので、従来の錠装置に比して操作性が格段に向上する。また、扉の把手は、常に操作部により覆われ、操作部のロックを解除しない限り、把手を操作することができないので、従来の錠装置のように、把手が露出して不正に操作される恐れはなく、優れたセキュリティを有する。
【０００７】
本発明の錠装置は、
前記施解錠手段は、ソレノイドにより進退移動させられ、前記本体基部または前記操作部の一部と係合可能な施解錠レバーを備えることを特徴としている。
この特徴によれば、操作部の施解錠を、電気的に迅速に行うことができる。
【０００８】
本発明の錠装置は、
前記施解錠手段は、認証情報に基づいて作動するとともに、該認証情報により前記操作部を施解錠する電子認証錠を備えることを特徴としている。
この特徴によれば、認証カード等の認証情報に基づいて、操作部を施解錠しうるので、特定の者しか扉を開くことができず、セキュリティが向上する。また、構造の複雑な機械的な施解錠手段を用いる必要がないので、錠装置を小型化することができる。
【０００９】
本発明の錠装置は、
前記電子認証錠は、前記認証情報を外部に送信可能な通信手段を有することを特徴としている。
この特徴によれば、収納体の施解錠や使用履歴等を外部のコンピュータに送信して管理することができる。特に、複数の収納体に錠装置を装着すると、複数の収納体の施解錠や使用履歴等を一元的に集中して管理することができる。
【００１０】
本発明の錠装置は、
前記電子認証錠は、予め記憶された前記認証情報に基づいて、前記操作部を施解錠しうる記憶手段を有することを特徴としている。
この特徴によれば、電子認証錠の記憶手段に記憶された認証情報と、認証カード等に記憶された認証情報とが合致しない限り、操作部のロックを解除することができないので、セキュリティが格段に向上する。
【図面の簡単な説明】
【００１１】
【図１】実施例における錠装置をキャビネットに取り付ける前の斜視図である。
【図２】同じく、錠装置取り付け後の斜視図である。
【図３】図２のIII−III線に沿う拡大横断平面図である。
【図４】同じく、操作部を前方に回動操作したときの拡大横断平面図である。
【図５】錠装置の拡大正面図である。
【図６】同じく平面図である。
【図７】同じく左側面面図である。
【図８】同じく後面図である。
【図９】錠装置の変形例の正面図である。
【発明を実施するための形態】
【００１２】
本発明に係る錠装置を実施するための形態を実施例に基づいて以下に説明する。
【実施例】
【００１３】
実施例に係る錠装置につき、図１から図８を参照して説明する。図１は、本発明の錠装置１と、この錠装置１が取り付けられる収納体、すなわちキャビネット２との、錠装置１取り付け前の斜視図、図２は、同じく錠装置１取付後の斜視図である。
【００１４】
キャビネット２は、両開き式の扉３、３を備え、その右方の扉３における内側端部の前面に取り付けられた把手取付部材４の凹入部５内には、常時後ろ向きに付勢された把手６が設けられ、この把手６の後面に手を掛けて前方に操作する（引く）ことにより、それに連係されたラッチ機構（図示略）がキャビネット本体の係合部より離脱して、左右の扉３、３を前方に開くことができるようになっている。
【００１５】
錠装置１は、図３〜図８にも示すように、扉３の凹入部５及び把手６の前面を余裕をもって覆いうる大きさの横長長方形の本体基部７と、この本体基部７の前面を覆いうる大きさのカバー状の操作部８とを備えている。
【００１６】
本体基部７は、合成樹脂により平板状に形成され、後面に貼着した両面接着テープ９をもって、扉３の前面に接着されている。なお、両面接着テープ９に代えて、接着剤や板状のマグネット、あるいはねじ等により取り付けてもよい。本体基部７における凹入部５と対向する部分の右側部には、後述する連係部材１７を挿通させるための開口部１０が形成されている。
【００１７】
操作部８は、合成樹脂により、後面が開放されたケース状に形成され、その左側端部の前面には、側面視前向きコ字状の把持部１１が一体的に連設されている。
【００１８】
操作部８の右端部に突設した上下１対の後向片１２、１２を、本体基部７の上縁と下縁に連設された前向片７ａ、７ａの右端部に、上下方向の軸１３をもって枢着することにより、操作部８は、本体基部７の前面に、軸１３を中心として前方に回動操作しうるように取り付けられている。本体基部７の前面を操作部８により覆った際、それらの対向面間には、周囲が閉塞された空間Ｓが形成されるようになっている（図３参照）。
【００１９】
図３に示すように、本体基部７の左端部の前面には、前面が開口する乾電池の収納ボックス１４が設けられ、この収納ボックス１４と対向する操作部８の左側部は、収納ボックス１４への乾電池の挿脱を容易とするために、左側方にずらして開閉可能なカバー部１５となっている。
【００２０】
図３及び図４に示すように、操作部８における把手６のやや右方と対向する後面には、平面視外向き倒立Ｌ字状断面の取付片１６が連設され、この取付片１６には、把手６と操作部８とを連係する連係部材１７の前端の外向片１７ａが、ねじ１８により固定されている。
【００２１】
連係部材１７の後端に連設された左側方を向く作動片１７ｂは、把手６の後面に当接または近接し、図４に示すように、把持部１１を持って操作部８を前方に回動操作したとき、連係部材１７の作動片１７ｂにより把手６が前方に回動させられて、扉３を開くことができるようになっている。
【００２２】
操作部８の内部空間には、前記収納ボックス１４内の乾電池の電源により作動する電子認証錠１９が収容されている。この電子認証錠１９と対向する操作部８の前面の中央部には、キャビネット使用者の個人認証情報等を記憶してなる図示しない認証カード等を接触または近づけた際に、電子認証錠１９との間で通信を行うカード認証部２０が形成されている（図５参照）。なお、この電子認証錠１９と、後述する施解錠機構２１とにより、操作部８を施解錠する施解錠手段を構成している。
【００２３】
電子認証錠１９は、ＣＰＵ、ＲＯＭ、及びＲＡＭ等を備える一般的なマイクロコンピュータよりなり、前記認証カード等の認証情報を記憶した記憶手段と、認証カード等の認証情報を外部のコンピュータに無線または有線で送信可能な送信手段（いずれも図示略）とを備えている。
【００２４】
また、電子認証錠１９は、認証カード等の認証情報に基づいて操作部８をロックしたり、ロックを解除したりする施解錠機構２１を備えている。この施解錠機構２１は、図３、図４の２点鎖線及び図８の後面図に示すように、操作部８側に設けられたソレノイド２２と、このソレノイド２２により左右方向に進退移動される施解錠レバー２３とからなっている。
【００２５】
施解錠レバー２３の先端部は、ソレノイド２２への非通電時において、本体基部７の開口部９に突設された係止片２４の後面に当接して係合するか、または近接するようになっている。なお、この例では、ソレノイド２２を操作部８側に設けているが、本体基部７側に設けることもできる。この際には、施解錠レバー２３を、操作部８の内面に突設した係止片等と係合しうるようにすればよい。
【００２６】
次に、前記実施例の錠装置１の動作について説明する。キャビネット２の扉３が閉じられ、錠装置１を操作しないときには、電子認証錠１９は作動せず、従ってソレノイド２２にも通電されないので、図３及び図８に示すように、施解錠レバー２３は突出した状態となり、その先端部が、本体基部７の係止片２４の後面に当接して係合するか、または近接する。これにより、操作部８がロックされ、操作部８及びそれに連係部材１７を介して連係された把手６が前方に操作されるのが阻止される。
【００２７】
この状態で、キャビネット２の使用者が、認証カード等を操作部８の前面のカード認証部２０に接触または接近させると、認証カード等に予め記憶された認証情報が電子認証錠１９により読み取られ、この電子認証錠１９の記憶手段に予め記憶された認証情報と認証カード等の認証情報とが合致したときのみ、ソレノイド２２に通電される。これにより、図４及び図８の２点鎖線のように、施解錠レバー２３が縮退して、先端部が係止片２４より離間することにより、操作部８のロックが解除されて前方に操作可能となる。操作部８を、把持部１１に手を掛けて前方に回動操作すると、図４に示すように、連係部材１７の作動片１７ｂが前方に移動することにより、把手６が前方に回動させられ、扉３を開くことができる。
【００２８】
この際、電子認証錠１９は、認証カード等の認証情報を外部のコンピュータに送信可能な送信手段を備えているので、キャビネット２の施解錠や使用履歴等を外部のコンピュータにより管理することができる。特に、複数のキャビネット２に錠装置１を装着すると、複数のキャビネット２の施解錠や使用履歴等を一元的に集中して管理することができる。
【００２９】
操作部８を後方に回動させて扉３を閉じたのち、認証カード等を再度カード認証部１９に接触または接近させると、ソレノイド２２への通電が遮断されて、施解錠レバー２３が原位置まで突出することにより、操作部８は自動的にロックされる。なお、操作部８を後方に回動させて扉３を閉じたときから一定時間経過したのち、ソレノイド２１への通電を遮断するタイマーを設ければ、万一、認証カード等によるロックを忘れたとしても、操作部８を自動的にロックすることができる。
【００３０】
以上説明したように、本実施例における錠装置１においては、操作部８のロックを解除したのち、操作部８を、把持部１１を持って前方に回動操作するだけの一度の動作で、扉３の把手６を回動させて、そのまま扉３を開くことができるので、従来の錠装置に比して操作性が格段に向上する。
【００３１】
また、扉３の把手６は、常に操作部８により覆われ、操作部８のロックを解除しない限り、把手６を操作することができないので、従来の錠装置のように、把手が露出して不正に操作される恐れはなく、優れたセキュリティを有する。
【００３２】
以上、本発明の実施例を図面により説明してきたが、具体的な構成はこれら実施例に限られるものではなく、本発明の要旨を逸脱しない範囲における変更や追加があっても本発明に含まれる。
【００３３】
前記実施例の錠装置１は、操作部８を本体基部７とほぼ同じ大きさとして、操作部８全体を前方に回動操作しうるようにしているが、例えば、図９の変形例に示すように、扉３の凹入部５及び把手６の前面を余裕をもって覆いうる大きさの縦長の本体基部２５の前面を、周端部を除いて方形に開口し、この開口部２６に、前面上部に把持部２７を有する操作部２８を、右端部の上下１対の軸２９、２９を中心として、前方に回動操作しうるように嵌合するとともに、操作部２８の後面に、把手６の後面に当接する上述と同様の連係部材２９を設けた構成とすることもできる。なお、３０は、乾電池の収納ボックスを覆うカバー部、３１は、カード認証部である。
【００３４】
また、前記実施例では、操作部８の施解錠手段を、電子認証錠１９と、これの認証情報により作動する、ソレノイド２２及び施解錠レバー２３よりなる施解錠機構２１とからなるものとしたが、鍵錠やダイヤル錠等の機械的な施解錠手段を用いて操作部８を施解錠するようにすることもできる。
【符号の説明】
【００３５】
１                錠装置
２                キャビネット
３                扉
４                把手取付部材
５                凹入部
６                把手
７                本体基部
７ａ              前向片
８                操作部
９                両面接着テープ
１０              開口部
１１              把持部
１２              後向片
１３              軸
１４              収納ボックス
１５              カバー部
１６              取付片
１７              連係部材
１７ａ            外向片
１７ｂ            作動片
１８              ねじ
１９              電子認証錠
２０              カード認証部
２１              施解錠機構
２２              ソレノイド
２３              施解錠レバー
２４              係止片
２５              本体基部
２６              開口部
２７              把持部
２８              操作部
２９              軸
３０              カバー部
３１              カード認証部
Ｓ                空間
【図１】
0005816521.tif 000002
【図２】
0005816521.tif 000003
【図３】
0005816521.tif 000004
【図４】
0005816521.tif 000005
【図５】
0005816521.tif 000006
【図６】
0005816521.tif 000007
【図７】
0005816521.tif 000008
【図８】
0005816521.tif 000009
【図９】
0005816521.tif 000010